(57)【要約】【課題】ダミー栓を取り外す際の作業性を改善する。【解決手段】ダミー栓６０は、ホルダ４０の挿入孔４３からゴム栓３０のシール孔３１に挿入され、シール孔３１の内面に密着するシール部６４を有しているとともに、挿入孔４３の係止受面４５を弾性的に係止して挿入孔４３からの抜け止めをなす弾性係止部６３を有している。さらに、ダミー栓６０は、挿入孔４３に正規挿入されたときに、ホルダ４０の後面に当接してダミー栓６０のそれ以上の押し込みを規制する突片６２を有している。突片６２は、ダミー栓６０が誤挿入姿勢をとる場合に、隣接する挿入孔４３の開口に臨む部分を有している。【選択図】図２
2010238503.tif 000002
【特許請求の範囲】
【請求項１】
キャビティを有するハウジングと、
前記ハウジングに装着され、前記キャビティと対応してシール孔を有するゴム栓と、
前記ハウジングとの間に前記ゴム栓を保持しつつ前記ハウジングに装着され、前記シール孔と対応して挿入孔を有するホルダと、
前記挿入孔から前記シール孔に挿入され、前記シール孔の内面に密着するシール部を有しているとともに、前記挿入孔の係止受面を弾性的に係止して前記挿入孔からの抜け止めをなす弾性係止部を有し、対応する前記キャビティを封止するダミー栓とを備えることを特徴とする防水コネクタ。
【請求項２】
前記ダミー栓は、前記挿入孔に正規挿入されたときに、前記ホルダの端面に当接してそれ以上の押し込みを規制する突片を有しており、
前記突片は、前記ダミー栓が誤挿入姿勢をとる場合に、隣接する前記挿入孔の開口に臨む部分を有していることを特徴とする請求項１記載の防水コネクタ。
【請求項３】
前記弾性係止部には、前記挿入孔への挿入方向に沿って傾斜する第１弾性片が設けられているとともに、前記挿入孔からの離脱方向に沿って傾斜する第２弾性片が設けられていることを特徴とする請求項１又は２記載の防水コネクタ。
【請求項４】
前記挿入孔には、前記係止受面の他に前記弾性係止部に係止されない非係止受面が設けられ、
前記ダミー栓が軸周りに回転することにより、前記弾性係止部が前記係止受面と前記非係止受面の対応位置間を変位することを特徴とする請求項１ないし３のいずれか１項記載の防水コネクタ。
【請求項５】
前記弾性係止部には、前記挿入孔からの離脱方向に沿って傾斜する抜き取り用の治具案内面が設けられていることを特徴とする請求項１ないし４のいずれか１項記載の防水コネクタ。
【請求項６】
ハウジングとの間にゴム栓を保持しつつ前記ハウジングに装着されるホルダに取り付けられ、対応する前記ハウジングのキャビティを封止するダミー栓であって、
前記ホルダの挿入孔から前記ゴム栓のシール孔に挿入され、前記シール孔の内面に密着するシール部を有しているとともに、前記挿入孔の係止受面を弾性的に係止して前記挿入孔からの抜け止めをなす弾性係止部を有し、
前記弾性係止部には、前記挿入孔への挿入方向に沿って傾斜する第１弾性片が設けられているとともに、前記挿入孔からの離脱方向に沿って傾斜する第２弾性片が設けられていることを特徴とするダミー栓。
【発明の詳細な説明】
【技術分野】
【０００１】
本発明は、防水コネクタ及びダミー栓に関する。
【背景技術】
【０００２】
特許文献１には、従来の防水コネクタ及びダミー栓が開示されている。これは、ハウジング、ゴム栓、ホルダを備え、ハウジングとホルダとの間にゴム栓が保持される防水コネクタに対し、ホルダの挿入孔からゴム栓のシール孔にダミー栓が挿入され、挿入されたダミー栓によって対応するハウジングのキャビティが液密に封止される構成とされる。ダミー栓は、シール孔の内面に密着するシール部を有しているとともに、挿入孔の内面を係止して挿入孔からの抜け止めをなす係止部を有している。係止部は挿入孔の内面に形成された段差を引っ掛け係止し、これにより、ダミー栓がホルダに固定される。
【先行技術文献】
【特許文献】
【０００３】
【特許文献１】特開２００４−７１２００号公報
【発明の概要】
【発明が解決しようとする課題】
【０００４】
ところで、上記従来の技術では、ダミー栓をホルダから取り外そうとした場合に、係止部が段差に強固に係止されていたため、取り外し難く、取り外し作業に難渋するという問題があった。
【０００５】
本発明は上記のような事情に基づいて完成されたものであって、ダミー栓を取り外す際の作業性を改善することを目的とする。
【課題を解決するための手段】
【０００６】
上記の目的を達成するための手段として、請求項１の発明は、キャビティを有するハウジングと、前記ハウジングに装着され、前記キャビティと対応してシール孔を有するゴム栓と、前記ハウジングとの間に前記ゴム栓を保持しつつ前記ハウジングに装着され、前記シール孔と対応して挿入孔を有するホルダと、前記挿入孔から前記シール孔に挿入され、前記シール孔の内面に密着するシール部を有しているとともに、前記挿入孔の係止受面を弾性的に係止して前記挿入孔からの抜け止めをなす弾性係止部を有し、対応する前記キャビティを封止するダミー栓とを備えるところに特徴を有する。
【０００７】
請求項２の発明は、請求項１に記載のものにおいて、前記ダミー栓は、前記挿入孔に正規挿入されたときに、前記ホルダの端面に当接してそれ以上の押し込みを規制する突片を有しており、前記突片は、前記ダミー栓が誤挿入姿勢をとる場合に、隣接する前記挿入孔の開口に臨む部分を有しているところに特徴を有する。
【０００８】
請求項３の発明は、請求項１又は２に記載のものにおいて、前記弾性係止部には、前記挿入孔への挿入方向に沿って傾斜する第１弾性片が設けられているとともに、前記挿入孔への離脱方向に沿って傾斜する第２弾性片が設けられているところに特徴を有する。
【０００９】
請求項４の発明は、請求項１ないし３のいずれか１項に記載のものにおいて、前記挿入孔には、前記係止受面の他に前記弾性係止部に係止されない非係止受面が設けられ、前記ダミー栓が軸周りに回転することにより、前記弾性係止部が前記係止受面と前記非係止受面の対応位置間を変位するところに特徴を有する。
【００１０】
請求項５の発明は、請求項１ないし４のいずれか１項にものにおいて、前記弾性係止部には、前記挿入孔からの離脱方向に沿って傾斜する抜き取り用の治具案内面が設けられているところに特徴を有する。
【００１１】
請求項６の発明は、ハウジングとの間にゴム栓を保持しつつ前記ハウジングに装着されるホルダに取り付けられ、対応する前記ハウジングのキャビティを封止するダミー栓であって、前記ホルダの挿入孔から前記ゴム栓のシール孔に挿入され、前記シール孔の内面に密着するシール部を有しているとともに、前記挿入孔の係止受面を弾性的に係止して前記挿入孔からの抜け止めをなす弾性係止部を有し、前記弾性係止部には、前記挿入孔への挿入方向に沿って傾斜する第１弾性片が設けられているとともに、前記挿入孔からの離脱方向に沿って傾斜する第２弾性片が設けられているところに特徴を有する。
【発明の効果】
【００１２】
＜請求項１の発明＞
ダミー栓の弾性係止部が挿入孔の係止受面を弾性的に係止して挿入孔からの抜け止めをなすから、弾性係止部の係止力が過大になることがなく、ダミー栓をホルダから取り外す際の作業性が改善される。
【００１３】
＜請求項２の発明＞
ダミー栓が誤挿入姿勢をとると、突片が隣接する挿入孔の開口に臨み、挿入孔の開口から引き出される電線等に干渉し得るから、ダミー栓の挿入動作が規制され、ひいてはダミー栓の誤挿入が防止される。また、突片はホルダの端面に当接してダミー栓のそれ以上の押し込みを規制する当て止めの機能を兼備するから、専用の誤挿入防止部を設けるよりも構成の簡素化を図れる。
【００１４】
＜請求項３の発明＞
第１弾性片によってダミー栓の挿入動作が案内され、第２弾性片によってダミー栓の離脱動作が案内される。また、弾性係止部の不用意な捲れ上がりが防止される。
【００１５】
＜請求項４の発明＞
ダミー栓をホルダから取り外す際に、ダミー栓を軸周りに回転することで、弾性係止部を非係止受面側に変位させることができるから、その状態でダミー栓を引き抜くことにより、ホルダからの摩擦抵抗をほとんど受けることなく、ダミー栓を取り外すことができる。したがって、ダミー栓を取り外す際の作業性がより良好となる。
【００１６】
＜請求項５の発明＞
ダミー栓をホルダから取り外す際に、治具案内面に抜き取り用の治具を宛がうことにより、弾性係止部が撓み変形してその係止状態が解除され得るから、取り外し作業の円滑性が確保される。
【００１７】
＜請求項６の発明＞
弾性係止部の撓み動作を伴うことにより、ダミー栓をホルダから取り外す際の作業性が改善される。また、第１弾性片によってダミー栓の挿入動作が案内されるとともに、第２弾性片によってダミー栓の離脱動作が案内され、かつ、第１、第２弾性片によって弾性係止部の不用意な捲れ上がりが防止される。
【図面の簡単な説明】
【００１８】
【図１】本発明の実施形態１の防水コネクタの平面視方向から見た分解断面図である。
【図２】防水コネクタの平面視方向から見た断面図である。
【図３】防水コネクタの側面視方向から見た分解断面図である。
【図４】防水コネクタの側面視方向から見た断面図である。
【図５】ホルダにダミー栓を正規装着した状態を示す正面図である。
【図６】ホルダにダミー栓を正規装着した状態を示す背面図である。
【図７】ホルダにダミー栓を誤挿入しようとする状態を示す正面図である。
【図８】ホルダにダミー栓を誤挿入しようとする状態を示す背面図である。
【図９】ダミー栓の平面図である。
【図１０】ダミー栓の側面図である。
【図１１】防水コネクタの正面図である。
【図１２】治具でダミー栓を抜き取る状態を示す平面視方向から見た断面図である。
【発明を実施するための形態】
【００１９】
＜実施形態１＞
本発明の実施形態１を図１ないし図１２によって説明する。実施形態１の防水コネクタは、ハウジング１０、ゴム栓３０、ホルダ４０及びダミー栓６０を備えている。ハウジング１０は図示しない相手コネクタに嵌合可能とされている。なお、以下の説明において前後方向については、相手コネクタに対する嵌合面側を前方とする。
【００２０】
ハウジング１０は合成樹脂製であって、図３に示すように、端子金具９０を挿入可能な複数のキャビティ１１を有する角ブロック状のハウジング本体１２と、ハウジング本体１２の後端外周から後方へ突出する角筒状の収容凹部１３とからなる。キャビティ１１の内面には撓み可能なランス１４が形成され、キャビティ１１内に正規挿入された端子金具９０はランス１４によって弾性的に抜け止め係止される。また、ハウジング本体１２には、全キャビティ１１を横切ってリテーナ１５の装着孔１６が開口して形成されており、ここに挿入されるリテーナ１５によって端子金具９０が二次的に抜け止め係止される。なお、キャビティ１１には、端子金具９０が挿入されない空きキャビティ１１が含まれ、この空きキャビティ１１と対応してダミー栓６０が配設されることにより、空きキャビティ１１が液密に封止される。
【００２１】
ハウジング本体１２の外周面には段差１７が設けられ、ハウジング本体１２の外周面における段差１７の前方にはシールリング１８が嵌着されている。相手コネクタの嵌合時には、シールリング１８が相手コネクタとハウジング本体１２との間に弾縮され、これにより、相手コネクタとの間のシールがとられる。
【００２２】
また、ハウジング本体１２の前面にはフロントマスク１９が被せ付けられる。フロントマスク１９は、ランス１４の型抜き成形に起因してハウジング本体１２の前面に開口する部分を被覆する役割をはたし、図１１に示すように、キャビティ１１と対向して図示しない相手端子のタブを挿入可能な複数のタブ挿入口２０を有しているとともに、各タブ挿入口２０とは別に、ランス１４と対向してランス１４の係止状態を解除する図示しない解除治具を挿入可能な複数の治具挿入口２１を有している。
【００２３】
収容凹部１３の周壁には、図１に示すように、ホルダ４０を保持するロック片２２が撓み可能に形成され、ロック片２２の中央部には、ホルダ４０の正規装着時に、ホルダ４０のロック突部４２（後述する）が嵌るロック孔２３が保有されている。
【００２４】
ゴム栓３０はシリコンゴム等のゴム製であって、収容凹部１３の奥面に面当たりする横長のマット状をなしている。かかるゴム栓３０はキャビティ１１と対応して複数のシール孔３１を有する一括型とされている。
ゴム栓３０の外周面には収容凹部１３の内周面に密着する外側リップ３２が周方向に形成され、ゴム栓３０の内周面、つまりシール孔３１の内周面には端子金具９０に接続された電線９５の外周面に密着する内側リップ３３が周方向に形成されている。各シール孔３１の一部にはダミー栓６０のシール部６４（後述する）が挿入され、挿入されたシール部６４には内側リップ３３が密着する。なお、外側リップ３２及び内側リップ３３はそれぞれ前後の位相をずらして構成されている。
【００２５】
ホルダ４０は合成樹脂製であって、図５に示すように、ゴム栓３０と対応して横長の略矩形状をなしている。ホルダ４０の前面はゴム栓３０の後面の略全体を押圧する高さ方向にフラットな押圧面４１とされ、ホルダ４０の外周面には複数のロック突部４２が設けられている。
ホルダ４０はシール孔３１と対応して複数の挿入孔４３を有しており、各挿入孔４３には端子金具９０に接続された電線９５又はダミー本体６１（後述する）が遊嵌状態で挿入される。各挿入孔４３は、高さ方向に長く、幅方向に短い長方形の断面形状を有している。組み付け状態では、挿入孔４３、シール孔３１及びキャビティ１１が前後方向に沿った一直線上に並ぶように配置される。
【００２６】
ホルダ４０の前面における各挿入孔４３の長辺側の縁部には、段付き状の凹角部４４が切り欠き形成されている。凹角部４４の奥面は、ダミー栓６０の弾性係止部６３（後述する）に係止される係止受面４５とされ、挿入孔４３の前面よりも後方へ引っ込む位置にあって高さ方向にフラットに配置されている。係止受面４５は正面から見て円弧状をなし、幅方向で隣接する係止受面４５同士は互いにラップする位置関係にある。したがって、幅方向で隣接する挿入孔４３同士は凹角部４４を介して互いに連通している。なお、本実施形態の場合、係止受面４５は上下２段の全挿入孔４３の長辺側縁部に形成されている。また、挿入孔４３の短辺側の内面は、挿入孔４３の全長に亘って延び、弾性係止部６３とは非当接とされる非係止受面４６とされている。
【００２７】
続いてダミー栓６０について説明すると、ダミー栓６０は同じく合成樹脂製であって、図９及び図１０に示すように、前後方向に細長い円柱状のダミー本体６１と、ダミー本体６１の後端に張り出して形成される突片６２と、ダミー本体６１の外周面に突出して形成される弾性係止部６３とを有している。弾性係止部６３はダミー本体６１の前後方向中央より少し後方に配置されている。ダミー本体６１の略前半部は、弾性係止部６３よりも前方に位置してゴム栓３０のシール孔３１に挿入され、その外周面が内側リップ３３に密着されるシール部６４とされている。ダミー本体６１の先端外周面には、シール孔３１及び挿入孔４３への誘い込みをなすテーパ面６５が周方向に切り欠き形成されている。
【００２８】
弾性係止部６３は幅方向に対をなして配置される一方、突片６２は高さ方向に対をなして配置され、両者はいずれもダミー本体６１の外周面から互いに反対方向に延びる板片を有している。図５に示すように、ダミー栓６０を正面から見ると、弾性係止部６３と突片６２とは互いに重なり合うことがなく、全体として十字形をなしている。
【００２９】
突片６２は弾性係止部６３よりも長寸とされている。図８に示すように、ダミー栓６０を正規の挿入姿勢から軸周りに９０度回転させると、突片６２の延出方向が幅方向に向けられて、突片６２の先端部が隣接する挿入孔４３の両開口に臨むように配置される。
【００３０】
弾性係止部６３は、図９に示すように、ダミー本体６１の外周面から斜め外後方へテーパ状に延びる帯板状の第１弾性片６６と、ダミー本体６１の外周面から斜め外前方へテーパ状に延びる帯板状の第２弾性片６７と、第１弾性片６６の後端と第２弾性片６７の前端とに一体に連なりつつ外側に突出する係止爪６８とからなる。弾性係止部６３とダミー本体６１との間には撓み空間６９が肉抜きされており、第１弾性片６６の前端と第２弾性片６７の後端とを支点として、第１、第２弾性片６６、６７が撓み空間６９に撓み変形可能とされている。
【００３１】
第１弾性片６６は第２弾性片６７よりも短寸とされ、第１弾性片６６の外側斜面は挿入孔４３への挿入方向に沿ってテーパ状に傾斜する挿入案内面７０とされている。第２弾性片６７の外側斜面は挿入孔４３からの離脱方向に沿ってテーパ状に傾斜する抜き取り用の治具案内面７１とされ、治具案内面７１のほうが挿入案内面７０よりも傾斜角が緩くされている。係止爪６８は弾性係止部６３の全幅に亘って形成され、その先端縁が正面視円弧をなしている。係止爪６８の後面は、係止受面４５を面当たり状態で係止する係止面７２とされ、高さ方向にフラットに配置されている。
【００３２】
次に、本実施形態の防水コネクタの作用について説明する。
防水コネクタを組み上げるにあたり、ハウジング本体１２に、フロントマスク１９及びリテーナ１５を装着するとともに、収容凹部１３に後方からゴム栓３０及びホルダ４０を順に挿入する。ホルダ４０が収容凹部１３に正規挿入されると、図４に示すように、ロック突部４２がロック孔２３に弾性的に嵌り、ハウジング１０からの抜け止めがなされるとともに、ホルダ４０の押圧面４１と収容凹部１３の奥面との間にゴム栓３０が圧縮気味に挟持される。この状態で、ハウジング本体１２のキャビティ１１に後方から端子金具９０を挿入する。端子金具９０は、挿入孔４３からシール孔３１を経てキャビティ１１内に挿入され、ランス１４によって一次的に係止された後、リテーナ１５によって二次的に係止される。
【００３３】
また、空きキャビティ１１と対応する挿入孔４３には後方からダミー栓６０を挿入する。このとき、ダミー栓６０は弾性係止部６３の延出方向を幅方向に向けて挿入される。挿入の過程では、ダミー本体６１のシール部６４が内側リップ３３を摺動してシール孔３１を弾性的に押し広げるとともに、弾性係止部６３の係止爪６８が挿入孔４３の長辺側の内面を摺動して第１、第２弾性片６６、６７が撓み空間６９に撓み変形する。
【００３４】
ダミー栓６０が正規に挿入されると、突片６２がホルダ４０の後面における短辺側の開口縁に当て止めされて、ダミー栓６０のそれ以上の押し込みが規制される。このとき、ダミー本体６１の先端が対応するキャビティ１１内に臨むとともに、シール部６４がゴム栓３０のシール孔３１内に密着状態で挿入され、かつ、係止爪６８が凹角部４４と対応する位置に至ることで、第１、第２弾性片６６、６７が拡開して元の状態に弾性復帰する。それに伴い、図２及び図５に示すように、係止爪６８の係止面７２が係止受面４５にその前方から対峙して係止受面４５を係止する。これにより、ダミー栓６０の後方への抜け止めがなされ、かつ、突片６２によってダミー栓６０の前方への押し込みも規制されることから、ホルダ４０に対してダミー栓６０が前後方向にほぼ位置決めされた状態で装着される。なお、ダミー栓６０のホルダ４０への取り付けは、ホルダ４０を収容凹部１３に装着する前に予め行っておいてもよい。
【００３５】
ところで、ダミー栓６０が正規とは異なる向きでホルダ４０に取り付けられると、係止爪６８が非係止受面４６側に向けられて、ダミー栓６０がホルダ４０に係止されなくなり、相手コネクタとの嵌合に伴う内圧等によってダミー栓６０がホルダ４０から不用意に離脱するおそれがある。その点、本実施形態によれば、ダミー栓６０が正規とは異なる向きでホルダ４０に取り付けられようとすると、図８に示すように、突片６２の延出方向が幅方向に向けられて、突片６２の先端部が隣接する挿入孔４３の開口に臨み、そこから引き出される電線９５等と干渉し得るから、ダミー栓６０のそれ以上の挿入動作が規制され、ひいてはダミー栓６０がホルダ４０に誤挿入されるのが防止される。
【００３６】
さて、ダミー栓６０をホルダ４０から取り外すには、以下の２通りの方法がある。
１つの方法は、ダミー栓６０の軸周りの回転を利用する方法である。すなわち、ダミー栓６０を軸周りに概ね９０度回転すると、図７に示すように、弾性係止部６３の延出方向が高さ方向に向けられ、弾性係止部６３の係止爪６８が挿入孔４３の係止受面４５から解離する。代わって、弾性係止部６３の係止爪６８が挿入孔４３の非係止受面４６側に移行して非係止受面４６との間に隙間をあけて配置され、ダミー栓６０が挿入孔４３の内面から実質的に非当接状態に配置される。この状態で、ダミー栓６０を後方へ引っ張ると、ダミー栓６０は、挿入孔４３の内面からの摩擦抵抗をほとんど受けることなくホルダ４０から取り外される。このように、ダミー栓６０が軸周りに回転することにより、弾性係止部６３が係止受面４５と非係止受面４６の対応位置間を変位し、それに伴ってダミー栓６０が係止状態と係止解除状態とに変化するようになっている。
【００３７】
もう１つの方法は、図１２に示すように、抜き取り用の治具５０を用いる方法である。すなわち、この方法では、一対の押さえ片５１を突成させた治具５０が用意され、ホルダ４０の挿入孔４３に後方から治具５０を挿入する。すると、両押さえ片５１がそれぞれ対応する治具案内面７１を摺動し、それに伴って第２弾性片６７が撓み空間６９に撓み変形して、係止爪６８が挿入孔４３の係止受面４５から解離する。その状態を保つつつダミー栓６０を後方へ引っ張れば、ダミー栓６０をホルダ４０から取り外すことができる。なお、この場合、撓み空間６９は、撓み変形される第２弾性片６７によってほぼ完全に閉止される。
このように本実施形態によれば、上記した２通りの取り外し方法のいずれかの方法を状況に応じて選択することにより、ダミー栓６０の取り外し作業を円滑かつ容易に行うことができる。
【００３８】
以上説明したように本実施形態によれば、ダミー栓６０の弾性係止部６３が挿入孔４３の係止受面４５を弾性的に係止して挿入孔４３からの抜け止めをなすから、弾性係止部６３の係止力が過大になることがなく、ホルダ４０に対するダミー栓６０の取り付け作業及び取り外し作業の円滑性が確保される。
【００３９】
また、ダミー栓６０が誤挿入姿勢をとると、突片６２が隣接する挿入孔４３の開口に臨み、挿入孔４３の開口から引き出される電線９５等に干渉し得るから、ダミー栓６０の挿入動作が規制され、ひいてはダミー栓６０の誤挿入が防止される。また、突片６２はホルダ４０の後面に当接してダミー栓６０のそれ以上の押し込みを規制する当て止めの機能を兼備するから、専用の誤挿入防止部を設けるよりも構成の簡素化を図れる。
【００４０】
さらに、弾性係止部６３が片持ち状をなす場合には、ダミー栓６０の取り付け前、弾性係止部６３の自由端に異物が干渉して弾性係止部６３が捲れ上がるおそれがあるが、この実施形態によれば、弾性係止部６３が両持ち状をなすため、弾性係止部６３の不用意な捲れ上がりが防止される。また、第１弾性片６６によってダミー栓６０の挿入動作が案内され、第２弾性片６７によってダミー栓６０の離脱動作が案内される。
【００４１】
さらにまた、ダミー栓６０をホルダ４０から取り外す際に、ダミー栓６０を軸周りに回転することで、弾性係止部６３を非係止受面４６側に変位させることができるから、その状態でダミー栓６０を引き抜くことにより、ホルダ４０からの摩擦抵抗をほとんど受けることなく、ダミー栓６０をホルダ４０から容易に取り外すことができる。あるいは、第２弾性片６７の治具案内面７１に抜き取り用の治具５０を宛がうことにより、弾性係止部６３の係止状態が解除され得るから、これによってもダミー栓６０をホルダ４０から容易に取り外すことができる。
【００４２】
＜他の実施形態＞
本発明は上記記述及び図面によって説明した実施形態に限定されるものではなく、例えば次のような実施形態も本発明の技術的範囲に含まれる。
（１）弾性係止部は所定の弾性を有していればよく、ダミー本体との間に撓み空間を有していなくてもよい。
（２）ダミー栓を取り外す方法として、ダミー栓の軸周りの回転を利用する方法のみを行う場合には、弾性係止部から治具案内面を有する第２弾性片を省略してもよい。
（３）第１弾性片は挿入孔への挿入方向に沿って片持ち状に延出して形成され、第２弾性片は挿入孔からの離脱方向に沿って片持ち状に延出して形成され、第１、第２弾性片の両自由端が互いに連結されない構成であってもよい。これによっても、第１弾性片の自由端が第２弾性片によって保護され、第２弾性片の自由端が第１弾性片によって保護されることで、弾性係止部の不用意な捲れ上がりが防止される。
（４）ホルダの後面における挿入孔の開口縁には、ダミー栓の突片が適合して嵌る凹部が形成されていてもよい。
【符号の説明】
【００４３】
１０…ハウジング
１１…キャビティ
３０…ゴム栓
３１…シール孔
４０…ホルダ
４３…挿入孔
４５…係止受面
４６…非係止受面
６０…ダミー栓
６２…突片
６３…弾性係止部
６４…シール部
６６…第１弾性片
６７…第２弾性片
７１…治具案内面
【図１】
2010238503.tif 000003
【図２】
2010238503.tif 000004
【図３】
2010238503.tif 000005
【図４】
2010238503.tif 000006
【図５】
2010238503.tif 000007
【図６】
2010238503.tif 000008
【図７】
2010238503.tif 000009
【図８】
2010238503.tif 000010
【図９】
2010238503.tif 000011
【図１０】
2010238503.tif 000012
【図１１】
2010238503.tif 000013
【図１２】
2010238503.tif 000014